(57)【要約】【課題】油圧ショベル等、建設機械のアーム先端部にアタッチメントとして取り付けられている、既存の把持機構のグラップルを取り替えることなくそのまま用いて、被処理物のつかみ作業と行うと共に必要により吊り上げ移動作業を迅速かつ確実行うことにより、現場での要請に臨機応変に対応して作業効率を高めることを目的としたものである。【解決手段】所定の長さと断面積を持った直棒状の把持基体（１）と、該把持基体の両端部からそれぞれ所定距離だけ内側に寄った位置に周回転可能に環装した一対の支持環体（３）と、該各支持環体に固定形成した同長一対の連結体（４）と、該一対の連結体を連結し、かつ前記把持基体と平行となるように配設したビーム（５）と、該ビームの中間位置に設けたフック取付部（５１）と、からなることを特徴とする。前記把持基体は、所定長さの円筒状又は円柱状であることが好ましい。【選択図】図１
2018108878.tif 000002
【特許請求の範囲】
【請求項１】
所定の長さと断面積を持った直棒状の把持基体と、
該把持基体の両端部からそれぞれ所定距離だけ内側に寄った位置に周回転可能に環装した一対の支持環体と、
該各支持環体に固定形成した同長一対の連結体と、
該一対の連結体を連結し、かつ前記把持基体と平行となるように配設したビームと、
該ビームの中間位置に設けたフック取付部と、
からなることを特徴とした吊り具アダプタ。
【請求項２】
前記把持基体が、
所定長さの円筒状又は円柱状であることを特徴とした請求項１記載の吊り具アダプタ。
【請求項３】
前記把持基体が、
前記支持環体と両端部に形成したフランジとの間にベルト掛け領域を設けたことを特徴とする請求項１、又は２記載の吊り具アダプタ。
【請求項４】
前記フランジに吊り部を形成したことを特徴とする請求項１、２、又は３記載の吊り具アダプタ。
【請求項５】
前記ビームの複数箇所にフック取付部を配置したことを特徴とする請求項１、２、３、又は４記載の吊り具アダプタ。
【発明の詳細な説明】
【技術分野】
【０００１】
本願発明は、油圧ショベル等、建設機械のアーム先端部に取付られた、木材や廃材を把持して移動させるグラップル（把持機構）に把持固定する吊り具アダプタに関する。
【背景技術】
【０００２】
以前は、油圧ショベルで貨物を吊り上げて運搬する行為に関する規定がなく、バケット等のアタッチメントに直接ワイヤーを掛け付けた吊り上げ作業において、ワイヤーの切断や外れによって吊り荷の落下事故が多発していた。そのため、現在は関連省令規制より原則として主たる用途以外の使用を禁止している（労働安全衛生規則１６４条）。その一方で省令規則の規定に合致する構造と安全装置を具備した「クレーン機能付油圧ショベル」による吊り上げ作業を認めている。
【０００３】
この様に油圧ショベルにおいて吊り上げ作業の行うものとしては、以下に挙げた従来例がある。
【０００４】
１）油圧ショベルのバケットの裏側（操作者から見て）にワイヤーを掛けるフックを配置し、適宜にバケットを上げてそのフックを用いるようにした機構（特許文献１）。
【０００５】
２）グラップルで懸垂上に保持した把持装置で特定貨物（コンクリートブロック）を挟んで移動させる装置（特許文献２）。
【０００６】
３）アーム先端部に特定貨物（パネル）の専用吊り具をアタッチメントとして取り付けて吊り上げ作業を行わせるもの（特許文献３）。
【０００７】
４）油圧ショベルのアーム先端部に取り付けて行う専用のアタッチメンとして行う装置が開示されている（特許文献４）。
【先行技術文献】
【特許文献】
【０００８】
【特許文献１】特開平１０−２５２０９１号公報
【特許文献２】実開平０５−７１２５３号公報
【特許文献３】特開平１０−４５３７７号公報
【特許文献４】特開２０１５−１２９３８０号公報
【発明の概要】
【発明が解決しようとする課題】
【０００９】
しかし、これらの開示例は、目的物を把持して取り外しや解体を目的としたグラップル自体で吊り下げ作業を行うものは、特定貨物を対象とするため汎用性に欠けるものであった。またアタッチメントの交換方式では、重量物であるためその交換作業が面倒でかつ時間の係り、解体及び搬送全体の作業性に効率的でない課題があった。
【００１０】
別言すると、森林での間伐や廃屋の解体作業で出た大小様々な廃棄物をホーク状の爪を持ったグラップルで把持して不整地をある程度の距離（例えば、２０〜１００ｍ）を移動させるには、やはり被処理物を箱や袋に収納して行うのが効率的でありかつ確実なものである。
【００１１】
上記した従来の開示技術においては、グラップルを交換することなく確実に被処理物を吊り上げて懸垂状に保持して移動させる装置はなく、実際の現場においては、グラップルによる把持解体作業と共に、その解体物を袋等に収納してその袋を吊り上げて移動させる作業を適宜にかつ簡易迅速に行うことができる機具の出現が望まれていた。
【００１２】
そこで、本願発明は、上記背景のもとに創出されたものであり、油圧ショベルのアーム先端部にアタッチメントとして取り付けられている、既存装置である把持機構のグラップルを取り替えることなくそのまま用いて、被処理物のつかみ作業と行うと共に必要により吊り上げ移動作業を迅速かつ確実行うことにより、現場での要請に臨機応変に対応して作業効率を高めることを目的とした吊り具アダプタを提供するものである。
【課題を解決するための手段】
【００１３】
上記の課題を解決するため本願発明に係る吊り具アダプタは、所定の長さと断面積を持った直棒状の把持基体と、該把持基体の両端部からそれぞれ所定距離だけ内側に寄った位置に周回転可能に環装した一対の支持環体と、該各支持環体に固定形成した同長一対の連結体と、該一対の連結体を連結し、かつ前記把持基体と平行となるように配設したビームと、該ビームの中間位置に設けたフック取付部と、からなることを特徴とする。前記把持基体は、所定長さの円筒状又は円柱状であることが好ましい。
【００１４】
また、前記把持基体が、前記支持環体と両端部に形成したフランジとの間にベルト掛け領域を設けたことを特徴とする。該フランジには、フック取付け用に開口や直接フックを取り付けた吊り部を形成しても良い。
【００１５】
さらに、前記ビームの複数箇所にフック取付部を配置したことを特徴とする
【発明の効果】
【００１６】
上記構成により、グラップルで円筒状又は円柱状の把持基体を挟持し、所定の挟圧を持って吊り具アダプタ全体を確実に保持する。該把持基体の両端付近に回動自在に配置された対向一対の支持環体でビームを保持することにより、ビームは把持基体と平行な関係を維持すると共に把持基体に対して回動が自在に保持される。
【００１７】
これにより、グラップルの移動に従って移動する把持基体に対して常に垂下状態（地面に対して垂直状態）を維持することができる。そして、ビームのフック取付け部に配置したフックに被処理物の袋体を結束紐やワイヤーを引っ掛けて連携させる。これにより油圧ショベルのアームの上昇移動に従って把持基体、ビーム、が一体となって上昇し、それに連れて被処理物も上昇することになる。このとき、ビームは把持基体に対して平行かつ周回方向の回動が自在となっているため、被処理物の荷重と相俟って常に垂下状に保持されることとなる。
【図面の簡単な説明】
【００１８】
【図１】本願発明に係る吊り具アダプタの外観を示す斜視図である。
【図２】本願発明に係る吊り具アダプタの作用を示す斜視図（Ａ）とＣＣ線断面図（Ｂ）である。
【図３】本願発明に係る吊り具アダプタの使用状態を示す斜視図である。
【図４】本願発明に係る吊り具アダプタの異なる使用状態を示す斜視図である。
【図５】本願発明に係る吊り具アダプタの異なる使用状態を示す斜視図である。
【発明を実施するための形態】
【００１９】
以下に、本願発明の複数の実施例に係る吊り具アダプタの最良の実施例を図面に基づき詳細に説明する。また、以下の説明では、図面の上下を吊り具アダプタの「上下」と定義して用いる。
【００２０】
図１の図符号１は、本実施例に係る吊り具アダプタである。吊り具アダプタ１は、建設機械である油圧ショベル（図示省略）のアーム先端に配設したアタッチメントの一種であるグラップルＧで所定部位を把持されて使用に供される一種の吊り具と被処理物を連携させるアダプタである。
【００２１】
この吊り具アダプタ１の基本的な構成としては、グラップルＧで把持される把持基体２、把持基体２の両端付近に周回自在に配設した支持環体３、各支持環体３から下方向に垂下した連結体４、４、連結体４の先端側を連結するビーム５である。
【００２２】
まず、把持基体２は、金属性硬質材から直線の円筒状を成し、両端側には円筒部より拡径させたフランジ２１を一体的に配設している。各フランジ２１、２１には、上部と下部の２箇所に開口部２１ａを形成している。この開口部２１ａは、玉掛け作業に用いる連結金具である適宜な大きさのシャックルを配設したり、又は直接的にワイヤーを通したりすることができるため、一種の吊り部として機能する。
【００２３】
なお、把持基体２は、上述のようにグラップルＧによって把持されるため、使用するグラップルＧの爪Ｇｆが交差して確実に把持できる外径寸法に設定すると共に、爪Ｇｆによって潰されない剛性の肉厚に設定する必要がある。
【００２４】
把持基体２の両端付近には、一対の支持環体３を配設している。各支持環体３、３は、把持基体２のフランジ２１から内側へ所定距離において移動した位置であって、この位置で把持基体２の外径より大きな円筒体を同軸状に配設して構成している。
【００２５】
また、各支持環体３は、２つのストッパ３１、３１によって把持基体２の軸方向に挟みこまれている。このストッパ３１は、把持基体２の外周部をフランジ状に拡径させて成るものであり、支持環体３を把持基体２の軸方向へ対して位置決めしている。
【００２６】
支持環体３は、上記構成によって把持基体２のストッパ３１で挟まれた位置において周回自在となる。なお、支持環体３の内周面には、把持基体２との摺動性を増すための潤滑手段、例えば、グリースｇを塗布することが好適である。
【００２７】
また、上述のように支持環体３を構成した結果、支持環体３の端部側のストッパ３１と把持基体２のフランジ２１は所定距離において離隔しているが、この把持基体２の離隔部分は玉掛け作業に用いるベルトＢを巻回するベルト掛け領域２２として活用することもできる。
【００２８】
各支持環体３、３には、板状であって同形の連結体４を下側に延設するように一体的に形成している。各連結体４、４の上端側は、支持環体３の下面側の中央を半周するように接続している。また、支持環体３の下面から垂下状となった一対の連結体４は、把持基体２の軸方向を幅広面として対向している。
【００２９】
各連結体４の先端側には、互いの対向面を連結するようビーム５を配置している。このビーム５は直線状の円筒体であり、把持基体２とは平行を成している。
また、ビーム５の中間点と両端側の連結体４に接する位置の３箇所にはフック取付部５１を一体的に設けている。各フック取付部５１、５１、５１は、ビーム５の下面側を肉厚な基礎部とすると共にこの基礎部に配置されており、ビーム５の軸と直交する方向に１箇所に開口部５２を形成して構成している。なお、フック取付部５１はビーム中央側を若干大きくしている。
【００３０】
次に、本実施例に係る吊り具アダプタ１の作用及び使用方法を説明する。
まず、吊り具アダプタ１は、上記のように構成しているため、把持基体２を軸心として支持環体３、連結体４、ビーム５とが一体的に回動すると共に、回転時も含めビーム５は常に把持基体２と平行を成すことになる。
【００３１】
吊り具アダプタ１の使用方法としては、まずは、把持基体２の中央部をグラップルＧの爪Ｇｆによって確実に把持し、油圧ショベルのアーム（図示省略）を引き上げ移動させて、フレコンバック等の被処理物Ｍ１の上方に移動させる。この引き上げ移動時においては、吊り具アダプタ１の支持環体３、連結体４、及びビーム５が自重によって一体的に回動し、ビーム５の下面側が確実に最下端側に位置することになる。
【００３２】
そして、図３に示すように、ビーム５のフック取付部５１に適宜なシャックルＳ１を介して吊り用のフックＦを取付け、フックＦに被処理物Ｍ１のベルトを引っ掛ける。その後、グラップルＧを上昇させれば、吊り具アダプタ１を介して被処理物Ｍ１を吊り上げることができる。この吊り上げ時においても、吊り具アダプタ１や被処理物Ｍ１の重さにより、フックＦの位置は常にビーム下面側となる。つまり、グラップルＧの傾きに関係なくビーム５は把持基体２に対して最下端側に回動するため、被処理物Ｍ１を安定して吊り上げると共に移動することができる。
【００３３】
なお、本実施例では、１個のフックＦを使用した例であるが、被処理物の形状によっては、複数のフックＦ、Ｆをビーム両端側のフック取付部５１、５１に取付けた吊り上げ移動も、もちろん可能である。
【００３４】
また、上記形態とは別の使用方法も可能である。例えば、図４に示すように、ビーム５を上方に回動させてグラップル側に退避させ、把持基体２のベルト掛け領域２２を利用する形態である。この場合、把持基体２のベルト掛け領域２２に巻回させた２本のベルトＢ（玉掛け用のスリングベルト）で箱状容器のような被処理物Ｍ２を玉掛けして吊り上げ移動することに好適である。
【００３５】
他にも、図５に示すように、把持基体２の両端のフランジ２１、２１の開口部２１ａに小さめのシャックルＳ２を取付け、このシャックルＳ２にワイヤーＷを通し、下端に大きめのシャックルＳ１を介してフックＦを取り付ける形態である。
【００３６】
なお、この形態においてもフックＦは１個の限定するものではない。例えば、被処理物がパイプのような長尺物なら、各フランジ２１からワイヤーＷ、Ｗを鉛直に垂下させ、その先端側のそれぞれにフックＦ、Ｆを取り付けた玉掛けとして吊り上げても良い。この場合、長尺物の被処理物の姿勢を安定させることができる。
【符号の説明】
【００３７】
１  吊り具アダプタ
２  把持基体
２１  フランジ
２１ａ  開口部
２２  ベルト掛け領域
３  支持環体
３１  ストッパ
４  連結体
４１  先端部
５  ビーム
５１  フック取付部
５２  開口部＃
Ｂ  ベルト
Ｆ  フック
Ｇ  グラップル
Ｇｆ  爪
Ｗ  ワイヤー
Ｍ１  被処理物（フレコンバック）
Ｍ２  被処理物（箱状容器）
Ｓ１  シャックル（大型）
Ｓ２  シャックル（小型）
ｇ  グリース
【図１】
2018108878.tif 000003
【図２】
2018108878.tif 000004
【図３】
2018108878.tif 000005
【図４】
2018108878.tif 000006
【図５】
2018108878.tif 000007
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
油圧ショベルのアーム先端に配設したアタッチメントの一種であるグラップルで把持して保持される吊り具アダプタであって、
前記グラップルで把持される直棒状の把持基体と、
該把持基体の両端部からそれぞれ所定距離だけ内側に寄った位置に周回転可能に環装した一対の支持環体と、
該各支持環体に固定形成して一体化させた同長一対の連結体と、
該連結体同士を前記把持基体と平行にして固定連結したビームと、
該ビームの中間位置に設けたフック取付部と、
から成ることを特徴とした吊り具アダプタ。
【請求項２】
前記把持基体が、
所定長さの円筒状又は円柱状であることを特徴とした請求項１記載の吊り具アダプタ。
【請求項３】
前記把持基体が、
前記支持環体と両端部に形成したフランジとの間にベルト掛け領域を設けたことを特徴とする請求項１、又は２記載の吊り具アダプタ。
【請求項４】
前記フランジに吊り部を形成したことを特徴とする請求項３記載の吊り具アダプタ。
【請求項５】
前記ビームの複数箇所にフック取付部を配置したことを特徴とする請求項１、２、３、又は４記載の吊り具アダプタ。
【手続補正２】
【補正対象書類名】明細書
【補正対象項目名】０００９
【補正方法】変更
【補正の内容】
【０００９】
しかし、これらの開示例は、目的物を把持して取り外しや解体を目的としたグラップル自体で吊り下げ作業を行うものであり、特定貨物を対象とするため汎用性に欠けるものであった。またアタッチメントの交換方式では、重量物であるためその交換作業が面倒でかつ時間がかかり、解体及び搬送全体の作業性に効率的でない課題があった。
【手続補正３】
【補正対象書類名】明細書
【補正対象項目名】００１２
【補正方法】変更
【補正の内容】
【００１２】
そこで、本願発明は、上記背景のもとに創出されたものであり、油圧ショベルのアーム先端部にアタッチメントとして取り付けられた既存装置である把持機構のグラップルを取り替えることなくそのまま用いて、被処理物のつかみ作業と行うと共に必要により吊り上げ移動作業を迅速かつ確実行うことにより、現場での要請に臨機応変に対応して作業効率を高めることを目的とした吊り具アダプタを提供するものである。
【手続補正４】
【補正対象書類名】明細書
【補正対象項目名】００１３
【補正方法】変更
【補正の内容】
【００１３】
上記の課題を解決するため本願発明に係る吊り具アダプタは、油圧ショベルのアーム先端に配設したアタッチメントの一種であるグラップルで把持して保持される吊り具アダプタであって、前記グラップルで把持される直棒状の把持基体と、該把持基体の両端部からそれぞれ所定距離だけ内側に寄った位置に周回転可能に環装した一対の支持環体と、該各支持環体に固定形成して一体化させた同長一対の連結体と、該連結体同士を前記把持基体と平行にして固定連結したビームと、該ビームの中間位置に設けたフック取付部と、から成ることを特徴とする。前記把持基体は、所定長さの円筒状又は円柱状であることが好ましい。
【手続補正５】
【補正対象書類名】明細書
【補正対象項目名】００１５
【補正方法】変更
【補正の内容】
【００１５】
さらに、前記ビームの複数箇所にフック取付部を配置したことを特徴とする。
【手続補正６】
【補正対象書類名】明細書
【補正対象項目名】００２９
【補正方法】変更
【補正の内容】
【００２９】
各連結体４の先端側には、互いの対向面を連結するようビーム５を配置している。このビーム５は直線状の円筒体であり、把持基体２とは平行を成している。また、ビーム５の中間点と両端側の連結体４に接する位置の３箇所にはフック取付部５１を一体的に設けている。各フック取付部５１、５１、５１は、ビーム５の下面側を肉厚な基礎部とすると共にこの基礎部に配置されており、ビーム５の軸と直交する方向に１箇所に開口部５２を形成して構成している。なお、フック取付部５１はビーム中央側を若干大きくしている。
【手続補正７】
【補正対象書類名】明細書
【補正対象項目名】００３０
【補正方法】変更
【補正の内容】
【００３０】
次に、本実施例に係る吊り具アダプタ１の作用及び使用方法を説明する。まず、吊り具アダプタ１は、上記のように構成しているため、把持基体２を軸心として支持環体３、連結体４、ビーム５とが一体的に回動すると共に、回転時も含めビーム５は常に把持基体２と平行を成すことになる。